(57)【要約】【課題】部材の加工が容易であり部材の連結も簡単に確実に行うことができるパネル連結部品を提供する。【解決手段】本発明にかかるパネル連結部品１００は、側板１０２に設けられた穴１１４に挿入され、穴の外に露出する頭部１１６を有する長尺状のピン１０６と、天板１０４に設けられた切欠き１２２に配置された円筒のケース１１０と、ケースに収納されたカム本体１１２とを備え、ケースは、円筒の側壁１４８に形成され、側壁の円筒の軸方向に沿って延びるスリット１５２によって切り分けられた拡張片１５４とを有し、カム本体は、切欠きに通されたピンの頭部を引っ掛けて回転させることにより、頭部を引き寄せるとともに、ケースの拡張片を押し広げて、ケースを半径方向に拡張させることを特徴とする。【選択図】図６
2020067144.tif 000002
【特許請求の範囲】
【請求項１】
第一の部材と第二の部材を連結するパネル連結部品であって、
第一の部材に設けられた穴に挿入され、該穴の外に露出する頭部を有する長尺状のピンと、
第二の部材に設けられた切欠きに配置された円筒のケースと、
前記ケースに収納されたカム本体とを備え、
前記ケースは、
円筒の側壁に形成され、該側壁の円筒の軸方向に沿って延びるスリットによって切り分けられた拡張片を有し、
前記カム本体は、
前記切欠きに通された前記ピンの頭部を引っ掛けて回転させることにより、該頭部を引き寄せるとともに、前記ケースの拡張片を押し広げて、該ケースを半径方向に拡張させることを特徴とするパネル連結部品。
【請求項２】
前記カム本体は、前記ケースの内側の開口を通して該ケースに収納され、
前記ケースは、外側の開口側に形成され、前記カム本体に接して該カム本体の脱落を防止するフランジを有することを特徴とする請求項１に記載のパネル連結部品。
【請求項３】
前記拡張片は、前記カム本体を境にして前記ピンの反対側に形成されていて、
前記カム本体のうち前記ピンが挿入される側には、大径部が形成されていて、
前記大径部は、前記カム本体を回転させると前記拡張片を押圧して、該拡張片を前記ケースの半径方向に押し広げることを特徴とする請求項１または２に記載のパネル連結部品。
【請求項４】
当該パネル連結部品は、前記ピンが挿入されるスリーブをさらに備え、
前記スリーブには、前記ピンの長手方向に沿って延びるスリットが形成されていて、
前記スリーブは、前記カム本体が前記ピンの前記頭部を引き寄せると、前記スリットの隙間が広がることにより、半径方向に拡張することを特徴とする請求項１から３のいずれか１項に記載のパネル連結部品。
【発明の詳細な説明】
【技術分野】
【０００１】
本発明は、部材を連結するパネル連結部品に関する。
【背景技術】
【０００２】
家具などの組立品は、例えば天板や側板などの部材同士を連結して組み立てられる。特許文献１には、収納キャビネットなどを構成する各パネル（部材）を連結するためのパネル連結具が記載されている。
【０００３】
このパネル連結具は、一方のパネルの端面に埋め込まれるケースと、他方のパネルの平面に形成されただぼ挿入穴に挿入される可動だぼと、ケース内に装着される操作部とを備える。可動だぼは、一端部にだぼ部が設けられ、他端部がだぼ本体となっている。可動だぼのだぼ部は、他方のパネルのだぼ挿入孔に挿入される。
【０００４】
操作部は、可動だぼのだぼ本体と係合して、だぼ部をだぼ挿入穴から引き抜く方向に移動させる。だぼ部の外周面は、だぼ挿入穴の内面に向かう突起を有し、さらにスリットにより分割されている。ケースは、だぼ部のスリットに配置された楔部を有する。楔部は、操作部の操作によって可動だぼが引き抜かれる方向に移動すると、だぼ部のスリットを押し広げて、だぼ部を径方向に拡張する。
【０００５】
つまりパネル連結具では、可動だぼのだぼ部をだぼ挿入穴に挿入しつつ、一方のパネルの端面と他方のパネルの平面とを突き合わせ、さらに操作部を操作すると可動だぼが移動して、だぼ部が径方向に拡張する。これにより、だぼ部の外周面の突起がだぼ挿入穴の内面に食い込んで、他方のパネルに固定される。
【０００６】
特許文献１では、操作部を操作するだけで、一方のパネルと他方のパネルとを突き合わせる方向に可動だぼ部が移動するため、一方のパネルと他方のパネルとを簡単に連結できる、としている。
【先行技術文献】
【特許文献】
【０００７】
【特許文献１】特開２００１−１２４０２９号公報
【発明の概要】
【発明が解決しようとする課題】
【０００８】
しかし特許文献１に記載の技術は、単に、ケース内に装着された操作部を操作して、他方のパネルのだぼ挿入穴に挿入された可動だぼを引き寄せることで、可動だぼのだぼ部を拡張させるものに過ぎない。
【０００９】
すなわち特許文献１では、可動だぼを他方のパネルに固定できるものの、ケースは一方のパネルの端面に埋め込まれているに過ぎず、ケースと一方のパネルとの固定については改善の余地がある。仮にケース自体が、一方のパネルから脱落してしまうと、部材同士の連結を確実に行うことはできない。また、このようなケースの脱落を回避しようとすれば、ケースが埋め込まれる一方のパネルの端面での加工精度を高める必要がある。
【００１０】
本発明は、このような課題に鑑み、部材の加工が容易であり部材の連結も簡単に確実に行うことができるパネル連結部品を提供することを目的としている。
【課題を解決するための手段】
【００１１】
上記課題を解決するために、本発明にかかるパネル連結部品の代表的な構成は、第一の部材と第二の部材を連結するパネル連結部品であって、第一の部材に設けられた穴に挿入され、穴の外に露出する頭部を有する長尺状のピンと、第二の部材に設けられた切欠きに配置された円筒のケースと、ケースに収納されたカム本体とを備え、ケースは、円筒の側壁に形成され、側壁の円筒の軸方向に沿って延びるスリットによって切り分けられた拡張片を有し、カム本体は、切欠きに通されたピンの頭部を引っ掛けて回転させることにより、頭部を引き寄せるとともに、ケースの拡張片を押し広げて、ケースを半径方向に拡張させることを特徴とする。
【００１２】
上記構成では、カム本体を回転させるだけで、ケースを拡張できる。このため、ケースは、第二の部材（例えば木材）に設けられた切欠きの内面に圧接し、第二の部材に確実に固定される。またピンは、第一の部材の穴に挿入されさらに頭部が第二の部材の切欠きに通された状態であり、カム本体を回転させるだけで頭部が第二の部材に引き寄せられる。このため、第一の部材と第二の部材とが突き合わされて確実に連結される。したがって、部材の連結（組立）を簡単に確実に行うことができる。
【００１３】
上記のカム本体は、ケースの内側の開口を通してケースに収納され、ケースは、外側の開口側に形成され、カム本体に接してカム本体の脱落を防止するフランジを有するとよい。
【００１４】
このように、ケースの内側の開口を通して収納されたカム本体は、ケースの外側の開口側に形成されたフランジに接しているため脱落することがない。このため、第二の部材の小口（端面）のうちピンを通す部分は、穴である必要がなく、切欠きで済む。したがって、部材の加工が容易となり、さらに部材の連結も簡単に確実に行うことができる。
【００１５】
上記の拡張片は、カム本体を境にしてピンの反対側に形成されていて、カム本体のうちピンが挿入される側には、大径部が形成されていて、大径部は、カム本体を回転させると拡張片を押圧して、拡張片をケースの半径方向に押し広げるとよい。
【００１６】
このように、ケースの拡張片をピンの反対側に形成し、カム本体のうちピンが挿入される側に大径部を形成するという構成を採用することで、カム本体の回転により拡張片を押し広げてケースを確実に拡張させることができる。
【００１７】
上記のパネル連結部品は、ピンが挿入されるスリーブをさらに備え、スリーブには、ピンの長手方向に沿って延びるスリットが形成されていて、スリーブは、カム本体がピンの頭部を引き寄せると、スリットの隙間が広がることにより、半径方向に拡張するとよい。
【００１８】
このように、カム本体を回転させてピンの頭部を第二の部材に引き寄せることにより、スリットの隙間が広がるので、スリーブを拡張できる。このため、スリーブは、第一の部材に設けられた穴の内面に圧接し、第一の部材に確実に固定される。すなわち上記構成では、ピンを穴にねじ込む必要がなく、スリーブおよびピンを単なる穴に挿入するだけでよい。したがって、組立作業の労力と時間を軽減することができる。
【発明の効果】
【００１９】
本発明によれば、部材の加工が容易であり部材の連結も簡単に確実に行うことができるパネル連結部品を提供することができる。
【図面の簡単な説明】
【００２０】
【図１】本発明の実施形態におけるパネル連結部品を示す図である。
【図２】図１のパネル連結部品のピンおよびスリーブを示す図である。
【図３】図１のパネル連結部品のケースおよびカム本体を示す図である。
【図４】図２および図３のパネル連結部品の各部品を組み付けた状態を示す図である。
【図５】図４の各部品およびパネル連結部品の拡張動作を説明する図である。
【図６】図１のパネル連結部品によって側板と天板とを連結した状態を示す図である。
【発明を実施するための形態】
【００２１】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００２２】
図１は、本発明の実施形態におけるパネル連結部品１００を示す図である。図１（ａ）は、パネル連結部品１００の分解図である。図１（ｂ）は、パネル連結部品１００の組図である。
【００２３】
パネル連結部品１００は、二つの部材（第一の部材と第二の部材）を連結する連結金具である。以下では一例として、木製の第一の部材（側板１０２）と第二の部材（天板１０４）とをパネル連結部品１００によって突き合わせて連結する場合を説明する。ただし二つの部材は、木材に限らず、中質繊維板など適宜の材質の部材であってもよい。なお図中では、側板１０２および天板１０４を透過表示している。
【００２４】
パネル連結部品１００は、図１（ａ）に示すように、長尺状のピン１０６と、ピン１０６が挿入されるスリーブ１０８と、円筒のケース１１０と、ケース１１０に収納されるカム本体１１２とを備える。ピン１０６は、図１（ｂ）に示すように、スリーブ１０８に挿入された状態で、側板１０２に設けられた穴１１４に挿入される。ピン１０６の頭部１１６は、ピン１０６およびスリーブ１０８が穴１１４に挿入された状態で、穴１１４の外に露出する。
【００２５】
カム本体１１２は、ケース１１０のうち内側の開口１１８を通してケース１１０に収納される。ケース１１０の内側の開口１１８は、図１（ａ）に示す天板１０４の小口（端面１２０）に設けられた切欠き１２２に対面している。なおケース１１０の外側の開口１２４は、図１（ａ）ではケース１１０の下側に位置する。
【００２６】
ケース１１０は、図１（ｂ）に示すように、カム本体１１２を収納した状態で天板１０４の切欠き１２２に配置される。このときピン１０６は、側板１０２の穴１１４に挿入され、さらに穴１１４の外に露出した頭部１１６が天板１０４の切欠き１２２に通された状態となる。
【００２７】
図２は、図１のパネル連結部品１００のピン１０６およびスリーブ１０８を示す図である。図２（ａ）は、ピン１０６およびスリーブ１０８の上面図である。長尺状のピン１０６は、図２（ａ）に示すように軸部１２６と、軸部１２６に設けられた上記頭部１１６と２つの拡張部１２８、１３０とを備える。拡張部１２８、１３０は、軸部１２６から半径方向に拡張した部位であり、軸方向に互いに離間して設けられている。
【００２８】
スリーブ１０８は、ピン１０６が挿入される円筒であり、図２（ａ）に示す上面全体に連続して形成されたスリット１３２と、下面の一部に形成されたスリット１３４とを有する。さらにスリーブ１０８は、ピン１０６の拡張部１３０と対面する側に形成された切り込み１３６を有する。ピン１０６は、例えば矢印Ａに示すようにスリーブ１０８に接近させて、さらにスリーブ１０８の切り込み１３６に軸部１２６を押し込み、スリット１３２、１３４を押し広げながらスリーブ１０８に挿入される（図２（ｂ）参照）。
【００２９】
図２（ｂ）は、スリーブ１０８にピン１０６が挿入された状態を示す図である。図２（ｃ）は、図２（ｂ）のＢ−Ｂ断面図である。スリーブ１０８の切り込み１３６は、図２（ｂ）に示すようにピン１０６を割り込むためにＶ字状に形成されている。また、スリーブ１０８内に挿入されたピン１０６は、図２（ｃ）に示すようにスリーブ１０８の内面１３８、１４０に、拡張部１２８、１３０の当接面１４２、１４４がそれぞれ当接した状態となっている。
【００３０】
このため、スリーブ１０８は、図中矢印Ｃに示す方向にピン１０６の頭部１１６が引き寄せられると（詳細は後述）、ピン１０６の拡張部１２８、１３０の当接面１４２、１４４によって内面１３８、１４０が押し付けられる。その結果、スリーブ１０８は、スリット１３２、１３４（図２（ａ）参照）の隙間が広がり、矢印Ｄ、Ｅに示すように半径方向に拡張する。
【００３１】
図３は、図１のパネル連結部品１００のケース１１０およびカム本体１１２を示す図である。なお図３では、図１（ａ）に示すケース１１０およびカム本体１１２に対して上下を反転して示している。
【００３２】
円筒のケース１１０は、外側の開口１２４側に形成されたフランジ１４６を有する。フランジ１４６は、側壁１４８の円筒の周方向に沿って形成されていて、側壁１４８の内面１５０から内側に向かって張り出している。さらにケース１１０の側壁１４８には、側壁１４８の円筒の軸方向に沿って延びるスリット１５２と、スリット１５２によって切り分けられた拡張片１５４と、滑り止め用リブ１５６と、ピン１０６の頭部１１６が挿入される挿入溝１５８とが形成されている。なおスリット１５２および拡張片１５４は、複数形成されているが（図４参照）、ここでは１つのスリット１５２および拡張片１５４にのみ代表的に符号を付している。
【００３３】
カム本体１１２は、ケース１１０の内側の開口１１８を通してケース１１０に収納された状態で（図４参照）、ケース１１０の中で回転可能となっている。カム本体１１２は、ほぼ円形のベース部１６０と、ベース部１６０に立設した縦壁１６２と、縦壁１６２に連続する頂部１６４とを有する。頂部１６４は、縦壁１６２を介してベース部１６０に対面する部位であって、ケース１１０のフランジ１４６に引っ掛かる肩部１６６と、カム本体１１２を回転させるための回転用溝１６８と、開口１７０とを有する。開口１７０は、カム本体１１２のうちピン１０６の頭部１１６が挿入される側に形成されている。
【００３４】
ベース部１６０は、大径部１７２と把持部１７４とを有する。大径部１７２は、ほぼ円形のベース部１６０の半径が拡張された部位であって、カム本体１１２のうちピン１０６の頭部１１６が挿入される側に形成されている。把持部１７４は、頂部１６４の肩部１６６とともにピン１０６の頭部１１６を把持して引き寄せる部位であって（図６（ｂ）参照）、ピン１０６の頭部１１６が挿入される側から遠ざかるにつれて肉厚となる楔形状となっている。
【００３５】
図４は、図２および図３のパネル連結部品１００の各部品を組み付けた状態を示す図である。図４（ａ）は、図３のカム本体１１２をケース１１０に収納した状態を示す図である。図４（ｂ）は、図４（ａ）を斜め下方から見た図である。図４（ｃ）は、図４（ａ）のケース１１０およびカム本体１１２に対して、図２（ｂ）のスリーブ１０８に挿入されたピン１０６を組み付けたパネル連結部品１００を示す図である。
【００３６】
図４（ａ）に示すカム本体１１２の開口１７０が、ケース１１０の挿入溝１５８に一致しているとき、カム本体１１２の大径部１７２は、図４（ｂ）に示すようにケース１１０の挿入溝１５８側に位置している。
【００３７】
ケース１１０は、図４（ｂ）に示すように複数（ここでは６つ）のスリット１５２によって切り分けられた複数（ここでは５つ）の拡張片１５４ａ、１５４ｂ、１５４ｃ、１５４ｄ、１５４ｅを有する。図４（ｂ）に示す状態でカム本体１１２の大径部１７２は、拡張片１５４ａ、１５４ｅのうち肉薄に形成された一部１７６ａ、１７８ａに対面している。また、カム本体１１２の大径部１７２は、拡張片１５４ａ、１５４ｅのうち一部１７６ａ、１７８ａよりも肉厚に形成された他の一部１７６ｂ、１７８ｂおよび拡張片１５４ｂ、１５４ｃ、１５４ｄには対面していない。
【００３８】
図４（ｃ）に示すパネル連結部品１００では、スリーブ１０８に挿入されたピン１０６の頭部１１６が、ケース１１０の挿入溝１５８に挿入され、さらにカム本体１１２の開口１７０にまで通された状態となっている。また、ケース１１０の外側の開口１２４側に形成されたフランジ１４６は、図４（ｃ）に示すようにカム本体１１２の肩部１６６を押さえ込んで、カム本体１１２がケース１１０から脱落することを防止している。
【００３９】
図５は、図４の各部品およびパネル連結部品１００の拡張動作を説明する図である。図６は、図１のパネル連結部品１００によって側板１０２と天板１０４とを連結した状態を示す図である。図６（ａ）は、図１（ｂ）のパネル連結部品１００に対してカム本体１１２を軸周り（矢印Ｆ）に回転させた状態を示している。なお側板１０２および天板１０４は透過表示している。図６（ｂ）は、図６（ａ）のＧ−Ｇ断面図である。
【００４０】
図５（ａ）に示すケース１１０に収納されたカム本体１１２は、図４（ａ）のカム本体１１２を軸周りに回転させた状態であり、カム本体１１２の開口１７０がケース１１０の挿入溝１５８の反対側に位置している。このとき、カム本体１１２の大径部１７２は、図５（ｂ）に示すように、ケース１１０の挿入溝１５８とは反対側に位置している。その結果、カム本体１１２の大径部１７２は、拡張片１５４ａ、１５４ｅのうち他の一部１７６ｂ、１７８ｂおよび拡張片１５４ｂ、１５４ｃ、１５４ｄに対面して、図５（ｂ）の各矢印に示すように拡張片１５４ａ〜１５４ｅを押し広げて、ケース１１０を半径方向に拡張させる。なおカム本体１１２は、回転用溝１６８に工具やコインなどを差し込んで操作することで容易に回転させることができる。
【００４１】
図５（ｃ）に示すパネル連結部品１００は、図４（ｃ）のカム本体１１２を軸周り（矢印Ｆ）に回転させた状態となっている。このため、カム本体１１２の開口１７０は、図５（ａ）と同様にケース１１０の挿入溝１５８の反対側に位置している。そして、パネル連結部品１００では、図５（ｂ）と同様に回転したカム本体１１２によってケース１１０が半径方向に拡張している。
【００４２】
またピン１０６の頭部１１６は、図６（ｂ）に示すように天板１０４の切欠き１２２に通され、さらにケース１１０の挿入溝１５８に挿入されている。このため、図５（ｃ）および図６（ａ）に示すようにカム本体１１２を軸周り（矢印Ｆ）に回転させると、把持部１７４は、図６（ｂ）に示す肩部１６６とともにピン１０６の頭部１１６を把持して矢印Ｃ方向に引き寄せる。なお把持部１７４は、ピン１０６の頭部１１６が挿入される側から遠ざかるにつれて肉厚となる楔形状となっているため、カム本体１１２の回転をさせることで、ピン１０６の頭部１１６を確実に引き寄せることができる。
【００４３】
ピン１０６の頭部１１６が矢印Ｃ方向に引き寄せられると、スリーブ１０８は、上述したようにスリット１３２、１３４（図２（ａ）参照）の隙間が広がり、図２（ｃ）、図５（ｃ）および図６（ａ）の矢印Ｄ、Ｅに示すように半径方向に拡張する。
【００４４】
以上説明したように、本実施形態のパネル連結部品１００によれば、カム本体１１２を回転させるだけで、ケース１１０を半径方向に拡張できる。このとき、図６（ｂ）に代表的に示す拡張片１５４は、カム本体１１２の大径部１７２によって半径方向に押し広げられ、さらに滑り止め用リブ１５６が天板１０４に設けられた切欠き１２２の内面に圧接する。これにより、ケース１１０は、天板１０４に確実に固定される。
【００４５】
またカム本体１１２は、ケース１１０のフランジ１４６に接しているため脱落することがない。つまり、天板１０４の端面１２０のうちピン１０６を通す部分は、穴である必要がなく、切欠き１２２で済む。したがってパネル連結部品１００では、天板１０４などの部材の加工が容易となり、さらに、二つの部材の連結（組立）も簡単に確実に行うことができる。
【００４６】
またパネル連結部品１００では、ピン１０６が側板１０２の穴１１４に挿入され、さらに頭部１１６が天板１０４の切欠き１２２に通されている。そしてピン１０６の頭部１１６は、カム本体１１２を回転させるだけで天板１０４に引き寄せられる（図６（ｂ）参照）。したがってパネル連結部品１００によれば、側板１０２と天板１０４とを突き合わせて確実に連結することができる。
【００４７】
またパネル連結部品１００では、ケース１１０の複数の拡張片１５４ａ〜１５４ｅをピン１０６が挿入される側とは反対側、すなわちカム本体１１２を境にしてピン１０６の反対側に形成し、さらにカム本体１１２のうちピン１０６が挿入される側に大径部１７２を形成している。これにより、パネル連結部品１００によれば、カム本体１１２を回転させるだけで拡張片１５４ａ〜１５４ｅを押し広げて（図５（ｂ）参照）、ケース１１０を半径方向に確実に拡張させることができる。
【００４８】
さらにパネル連結部品１００では、カム本体１１２を回転させるだけで、ピン１０６が挿入されたスリーブ１０８を半径方向に拡張させることができる（図６（ａ）参照）。このため、スリーブ１０８は、側板１０２に設けられた穴１１４の内面に圧接し、側板１０２に確実に固定される。したがってパネル連結部品１００によれば、ピン１０６を穴１１４にねじ込む必要がなく、スリーブ１０８およびピン１０６を単なる穴１１４に挿入するだけでよいため、組立作業の労力と時間を軽減することができる。
【００４９】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００５０】
本発明は、部材を連結するパネル連結部品として利用することができる。
【符号の説明】
【００５１】
１００…パネル連結部品、１０２…側板、１０４…天板、１０６…ピン、１０８…スリーブ、１１０…ケース、１１２…カム本体、１１４…側板の穴、１１６…頭部、１１８、１２４…ケースの開口、１２０…天板の端面、１２２…切欠き、１２６…軸部、１２８、１３０…ピンの拡張部、１３２、１３４…スリーブのスリット、１３６…スリーブの切り込み、１３８、１４０…スリーブの内面、１４２、１４４…当接面、１４６…フランジ、１４８…側壁、１５０…側壁の内面、１５２…側壁のスリット、１５４、１５４ａ、１５４ｂ、１５４ｃ、１５４ｄ、１５４ｅ…拡張片、１５６…滑り止め用リブ、１５８…挿入溝、１６０…ベース部、１６２…縦壁、１６４…頂部、１６６…肩部、１６８…回転用溝、１７０…カム本体の開口、１７２…大径部、１７４…把持部、１７６ａ、１７６ｂ、１７８ａ、１７８ｂ…拡張片の一部
【図１】
2020067144.tif 000003
【図２】
2020067144.tif 000004
【図３】
2020067144.tif 000005
【図４】
2020067144.tif 000006
【図５】
2020067144.tif 000007
【図６】
2020067144.tif 000008